(57)【要約】【課題】  複数ページの原稿の画像読取がエラー停止した場合に、状況に応じた処理を行うことで、送信者ユーザーおよび受信者ユーザーの利便性を向上させる。【解決手段】  画像取得部４２は、原稿の途中のページで画像読取部１１がエラー停止した場合、エラー停止の時点までに画像読取部１１による画像読取が完了しているページの画像ファイルを未完画像ファイルとして特定フォルダーに保存する。通信処理部４３は、所定条件に基づいて、未完画像ファイルのネットワーク識別子または未完画像ファイルを保存した特定フォルダーのネットワーク識別子を含むメッセージを特定の宛先に送信するか否かを判定し、メッセージを送信すると判定した場合には、上述のメッセージを特定の宛先に送信し、メッセージを送信しないと判定した場合には、上述のメッセージを特定の宛先に送信しない。【選択図】  図２
2019176439.tif 000002
【特許請求の範囲】
【請求項１】
複数ページの原稿から原稿画像を読み取り前記原稿画像の画像データを生成する画像読取部と、
前記画像データを取得し、前記画像データを含む画像ファイルを生成し特定フォルダーに保存する画像取得部と、
前記画像ファイルのネットワーク識別子または前記特定フォルダーのネットワーク識別子を含むメッセージを特定の宛先に送信する通信処理部とを備え、
前記画像取得部は、前記原稿の途中のページで前記画像読取部がエラー停止した場合、エラー停止の時点までに前記画像読取部による画像読取が完了しているページの画像ファイルを未完画像ファイルとして前記特定フォルダーに保存し、
前記通信処理部は、（ａ）所定条件に基づいて、前記未完画像ファイルのネットワーク識別子または前記未完画像ファイルを保存した前記特定フォルダーのネットワーク識別子を含むメッセージを特定の宛先に送信するか否かを判定し、（ｂ１）前記所定条件に基づいて、前記メッセージを送信すると判定した場合には、前記メッセージを前記特定の宛先に送信し、（ｂ２）前記所定条件に基づいて、前記メッセージを送信しないと判定した場合には、前記メッセージを前記特定の宛先に送信しないこと、
を特徴とする画像読取装置。
【請求項２】
前記通信処理部は、（ａ）前記メッセージの送信者ユーザーと受信者ユーザーとが同一ではない場合には、前記送信者ユーザーのユーザー操作またはユーザー設定に基づき、前記メッセージを特定の宛先に送信するか否かを判定し、（ｂ）前記メッセージの送信者ユーザーと受信者ユーザーとが同一である場合には、前記メッセージを特定の宛先に送信することを特徴とすることを特徴とする請求項１記載の画像読取装置。
【請求項３】
前記通信処理部は、（ａ）前記メッセージの件名が初期値以外に設定された場合、前記メッセージの送信者ユーザーと受信者ユーザーとが同一ではないと判定し、（ｂ）前記メッセージの件名が初期値である場合、前記メッセージの送信者ユーザーと受信者ユーザーとが同一であると判定することを特徴とする請求項２記載の画像読取装置。
【請求項４】
前記画像取得部は、前記メッセージを送信すると判定された場合、前記未完画像ファイルに含まれるページを、第１ページから区切りページまでとし、
前記区切りページは、エラー停止の時点までに前記画像読取部による画像読取が完了しているページのうち、前記原稿における文章の区切りが当該区切りページと当該区切りページの次のページとの間の区切りに一致しているページであること、
を特徴とする請求項１記載の画像読取装置。
【請求項５】
前記文章の区切りは、章の切り替わり、節の切り替わり、および句点またはピリオドのうちのいずれかであることを特徴とする請求項４記載の画像読取装置。
【請求項６】
前記画像取得部は、エラー停止の時点までに前記画像読取部による画像読取が完了しているページのうちの最終ページから所定ページ数の範囲内に前記区切りページがない場合、前記最終ページを前記区切りページとすることを特徴とする請求項４または請求項５記載の画像読取装置。
【発明の詳細な説明】
【技術分野】
【０００１】
本発明は、画像読取装置に関するものである。
【背景技術】
【０００２】
ある画像読取装置は、原稿から読み取られた原稿画像の画像ファイルをボックス（フォルダー）に保存し、その画像ファイルのＵＲＬ（Uniform Resource Locator）を含むメッセージ（電子メールなど）を送信し、これにより、ユーザーが端末装置などを操作してそのメッセージに含まれるＵＲＬを指定して、画像ファイルをダウンロードする機能（スキャンＵＲＬ送信機能）を有する（例えば特許文献１参照）。また、上述の画像ファイルのＵＲＬの代わりに、上述の画像ファイルを保存したボックス（フォルダー）のＵＲＬがメッセージに含まれる場合もある。
【０００３】
また、別の画像読取装置は、画像読取が正常終了した場合、原稿から読み取られた原稿画像の画像ファイルを保存するとともにメールで送信し、また、画像読取が途中でエラー停止した場合には、原稿から読み取られた原稿画像の画像ファイルを保存するが、メールで送信しない（例えば特許文献２参照）。
【先行技術文献】
【特許文献】
【０００４】
【特許文献１】特開２００６−３１１３４４号公報
【特許文献２】特開２００５−１９８０７２号公報
【発明の概要】
【発明が解決しようとする課題】
【０００５】
上述の画像読取装置では、複数ページの原稿の画像読取時に、途中のページで画像読取がエラー停止した場合、画像読取が完了したページまでの画像ファイルを保存するが、画像ファイルの送信を行わないため、ユーザーは、その後に、残りのページの画像読取を行い、エラー停止時に生成された画像ファイルと残りのページの画像ファイルとを結合し、結合後の画像ファイルを所定の宛先に送信する必要がある。
【０００６】
しかしながら、上述のように送信者ユーザーが、手動で、画像ファイルの結合、結合後の画像ファイルの送信などを行うと、受信者ユーザーの手間はかからないものの、送信者ユーザーの手間が多くなってしまうとともに、上述の手動操作が行うため、受信者ユーザーが画像ファイルを受け取る時間が遅延してしまう。
【０００７】
本発明は、上記の問題に鑑みてなされたものであり、複数ページの原稿の画像読取がエラー停止した場合に、状況に応じた処理を行うことで、送信者ユーザーおよび受信者ユーザーの作業負担を適切にし送信者ユーザーおよび受信者ユーザーの利便性が向上する画像読取装置を得ることを目的とする。
【課題を解決するための手段】
【０００８】
本発明に係る画像読取装置は、複数ページの原稿から原稿画像を読み取り前記原稿画像の画像データを生成する画像読取部と、前記画像データを取得し、前記画像データを含む画像ファイルを生成し特定フォルダーに保存する画像取得部と、前記画像ファイルのネットワーク識別子または前記特定フォルダーのネットワーク識別子を含むメッセージを特定の宛先に送信する通信処理部とを備える。前記画像取得部は、前記原稿の途中のページで前記画像読取部がエラー停止した場合、エラー停止の時点までに前記画像読取部による画像読取が完了しているページの画像ファイルを未完画像ファイルとして前記特定フォルダーに保存する。そして、前記通信処理部は、（ａ）所定条件に基づいて、前記未完画像ファイルのネットワーク識別子または前記未完画像ファイルを保存した前記特定フォルダーのネットワーク識別子を含むメッセージを特定の宛先に送信するか否かを判定し、（ｂ１）前記所定条件に基づいて、前記メッセージを送信すると判定した場合には、前記メッセージを前記特定の宛先に送信し、（ｂ２）前記所定条件に基づいて、前記メッセージを送信しないと判定した場合には、前記メッセージを前記特定の宛先に送信しない。
【発明の効果】
【０００９】
本発明によれば、複数ページの原稿の画像読取がエラー停止した場合に、状況に応じた処理を行うことで、送信者ユーザーおよび受信者ユーザーの作業負担を適切にし送信者ユーザーおよび受信者ユーザーの利便性が向上する画像読取装置が得られる。
【００１０】
本発明の上記又は他の目的、特徴および優位性は、添付の図面とともに以下の詳細な説明から更に明らかになる。
【図面の簡単な説明】
【００１１】
【図１】図１は、本発明の実施の形態に係る画像読取装置を示す斜視図である。
【図２】図２は、図１における画像読取装置１の構成を示すブロック図である。
【図３】図３は、区切りページについて説明する図である。
【図４】図４は、実施の形態１に係る画像読取装置１の動作について説明するフローチャートである。
【図５】図５は、エラー停止後に複数ページの原稿の画像ファイルが受信者ユーザー側で入手されるまでの処理を示すシーケンス図である（１／２）。
【図６】図６は、エラー停止後に複数ページの原稿の画像ファイルが受信者ユーザー側で入手されるまでの処理を示すシーケンス図である（２／２）。
【発明を実施するための形態】
【００１２】
以下、図に基づいて本発明の実施の形態を説明する。
【００１３】
図１は、本発明の実施の形態に係る画像読取装置を示す斜視図である。図１において、画像読取装置１は、画像読取機能を有する複合機であり、画像読取装置の一種である。端末装置２は、パーソナルコンピューターなどの、ユーザーが操作する端末装置であって、ネットワーク３を介して画像読取装置１と直接または間接的に通信可能である。例えば、複数のユーザーにそれぞれ使用される複数の端末装置２がネットワーク３を介して画像読取装置１と通信可能となっている。なお、ネットワーク３は、インターネット、ＬＡＮ（Local Area Network）などである。
【００１４】
図２は、図１における画像読取装置１の構成を示すブロック図である。図１および図２に示す画像読取装置１は、画像読取部１１、印刷装置１２、ファクシミリ装置１３、通信装置１４、操作パネル１５、演算処理装置１６、記憶装置１７などを備える。
【００１５】
画像読取部１１は、プラテングラスに載置された原稿や、自動原稿送り装置によりフィードされた原稿から原稿画像を光学的に読み取り、その原稿画像の画像データを生成する。
【００１６】
例えば、画像読取部１１は、プラテングラスに載置された複数ページの原稿から原稿画像を順番に読み取り原稿画像の画像データを生成する。その際、画像読取部１１は、原稿画像の搬送ジャム、ユーザー操作によるキャンセルなどが検出されると、画像読取をエラー停止する。
【００１７】
印刷装置１２は、スキャンで得られた画像データなどに基づく画像を印刷する内部装置である。
【００１８】
ファクシミリ装置１３は、スキャンで得られた画像データをファクシミリ信号として送信し、ファクシミリ信号を受信して画像データを生成する内部装置である。
【００１９】
通信装置１４は、ネットワークインターフェイスなどであって、ネットワーク３を介して、端末装置２とデータ通信を行う内部装置である。
【００２０】
操作パネル１５は、画像読取装置１の筺体上面側に配置され、ユーザーに対して画面を表示する表示装置２１およびそのユーザーによる操作を受け付ける入力装置２２を有する。表示装置２１は、液晶ディスプレイなどである。また、入力装置２２は、ハードキー、表示装置２１とともにソフトキーを実現するタッチパネルなどである。
【００２１】
演算処理装置１６は、ＣＰＵ（Central Processing Unit）、ＲＯＭ（Read Only Memory）、ＲＡＭ（Random Access Memory）などを有するコンピューター、ＡＳＩＣ（Application Specific Integrated Circuit）などを備え、各種処理部として動作する。つまり、演算処理装置１６は、ＲＯＭや図示せぬ記憶装置に記憶されているプログラムをＲＡＭにロードしてＣＰＵで実行して、ソフトウェアによって各種処理部として動作したり、ＡＳＩＣなどで、ハードウェアによって各種処理部として動作したりする。
【００２２】
演算処理装置１６は、ジョブ管理部４１、画像取得部４２、通信処理部４３、およびサーバー４４として動作する。
【００２３】
ジョブ管理部４１は、スキャンＵＲＬ送信ジョブなどといったジョブのジョブ要求を受け付けると、内部装置を使用してそのジョブを実行する。
【００２４】
画像取得部４２は、画像読取部１１により生成された画像データを取得し、その画像データを含む画像ファイルを生成し特定フォルダーに保存する。なお、この特定フォルダーは、内部の記憶装置１７、図示せぬ外部の記憶装置などに設けられている。
【００２５】
例えば、ジョブ要求におけるジョブ設定に従って、１つのジョブで複数ページの原稿についての画像ファイルを生成する際に、複数ページのページ画像を含む１つの画像ファイル（例えばＰＤＦファイル）が生成され保存される。
【００２６】
通信処理部４３は、通信装置１４を使用して、特定フォルダーに保存された画像ファイルのネットワーク識別子または画像ファイルを保存した特定フォルダーのネットワーク識別子を含むメッセージを特定の宛先に送信する。このメッセージは、所定のプロトコルによって送信される。この実施の形態では、ネットワーク識別子はＵＲＬであり、このメッセージは電子メールとして送信される。以下、このようにＵＲＬを含むメッセージを送信する処理をＵＲＬ送信という。また、この特定の宛先は、ユーザー操作、ユーザー設定、ジョブ設定などにより指定された宛先（電子メールアドレスなど）である。なお、通常、このメッセージは、画像ファイルなどのネットワーク識別子を含むが、画像ファイルの縮小画像などを含んでいない。
【００２７】
上述のように、原稿の途中のページで画像読取部１１がエラー停止した場合、画像取得部４２は、エラー停止の時点までに画像読取部１１による画像読取が完了しているページの画像ファイルを未完画像ファイルとして特定フォルダーに保存し、通信処理部４３は、所定条件に基づいて、未完画像ファイルのネットワーク識別子または未完画像ファイルを保存した特定フォルダーのネットワーク識別子を含むメッセージを特定の宛先に送信するか否かを判定し、所定条件に基づいて、メッセージを送信すると判定した場合には、上述のメッセージを特定の宛先に送信し、所定条件に基づいて、メッセージを送信しないと判定した場合には、上述のメッセージを特定の宛先に送信しない。
【００２８】
ここで、上述の所定条件は、ユーザー操作、ユーザー設定、ジョブ設定などに基づく条件である。
【００２９】
この実施の形態では、通信処理部４３は、（ａ）上述のメッセージの送信者ユーザー（つまり、ジョブを要求したユーザー）と受信者ユーザーとが同一ではない場合（つまり、ＵＲＬなどのネットワーク識別子を別のユーザーに送信する場合）には、送信者ユーザーのユーザー操作またはユーザー設定に基づき、上述のメッセージを特定の宛先に送信するか否かを判定し、（ｂ）メッセージの送信者ユーザーと受信者ユーザーとが同一である場合には、上述のメッセージを特定の宛先に送信する。
【００３０】
例えば、通信処理部４３は、ジョブ設定において上述のメッセージの件名が初期値以外に設定された場合、メッセージの送信者ユーザーと受信者ユーザーとが同一ではないと判定し、上述のメッセージの件名が初期値（固定テキスト、空白など）である場合、メッセージの送信者ユーザーと受信者ユーザーとが同一であると判定する。
【００３１】
さらに、この実施の形態では、メッセージを送信すると判定された場合、画像取得部４２は、上述の未完画像ファイルに含まれるページを、第１ページから区切りページまでとするようにしてもよい。ここで、区切りページは、エラー停止の時点までに画像読取部１１による画像読取が完了しているページのうち、原稿における文章の区切りが当該区切りページと当該区切りページの次のページとの間の区切りに一致しているページである。その場合、画像取得部４２は、エラー停止の時点までに画像読取部１１による画像読取が完了しているページのうちの最終ページ（最終スキャンページ）から所定ページ数（例えば、１ページまたは２ページ）の範囲内に区切りページがない場合、最終スキャンページを区切りページとする。また、区切りページが複数ある場合、最も後ろの区切りページ以外は除外される。
【００３２】
ここで、文章の区切りは、例えば、章の切り替わり、節の切り替わり、および句点またはピリオドのうちのいずれかである。
【００３３】
図３は、区切りページについて説明する図である。例えば図３に示す場合では、第４ページと第５ページとの間で章が切り替わっており、第５ページ内の文章が句点で終わっている。したがって、エラー停止したときに第１ページから第４ページまでの画像読取が完了している場合には、第４ページが区切りページとなり、また、エラー停止したときに第１ページから第５ページ、第６ページ、または第７ページまでの画像読取が完了している場合には、第５ページが区切りページとなる（なお、第６ページと第７ページとの間、および第７ページと第８ページとの間には文章の区切りはないものとする）。
【００３４】
ここで、文章の区切りの種別に優先順位を設け、区切りページ（あるいは最終スキャンページ）から所定ページ数（例えば１ページ）の範囲内に優先順位の高い文章の区切りがあれば、その優先順位の高い文章の区切りに基づいて区切りページを設定してもよい。その場合、章の区切りが句点より優先順位が高いときには、例えば図３に示す場合では、最終スキャンページが第５ページであるとき、区切りページは、第４ページとされる。
【００３５】
また、サーバー４４は、通信装置１４を使用して、ネットワーク識別子を指定した要求を受信すると、そのネットワーク識別子に対応するファイルを特定して読み出し、その要求の応答として要求元へ送信する。端末装置２は、ユーザー操作に従って上述のメッセージを取得し、ウェブブラウザーなどを使用して、上述のメッセージ内のネットワーク識別子（ここではＵＲＬ）を指定した送信要求を送信する。
【００３６】
例えば、サーバー４４は、ウェブサーバーであって、特定フォルダーには、予めＣＧＩ（Common Gateway Interface）などのプログラムファイルが設けられており、特定フォルダーのＵＲＬを指定した上述の送信要求があると、そのプログラムファイルに従って、ＨＴＭＬ（HyperText Markup Language）で記述されたファイル（特定フォルダー内の画像ファイルのリストを含む画面データファイル）が生成され、応答として送信される。
【００３７】
次に、実施の形態１に係る画像読取装置１の動作について説明する。図４は、実施の形態１に係る画像読取装置１の動作について説明するフローチャートである。
【００３８】
ジョブ管理部４１は、スキャンＵＲＬ送信ジョブのジョブ要求を受け付けると、そのジョブを開始する。これにより、画像読取部１１は、複数ページの原稿の画像スキャンを開始する（ステップＳ１）。画像取得部４２は、画像読取部１１から取得した原稿画像の画像データを演算処理装置１６内の図示せぬＲＡＭなどに一時的に記憶する。
【００３９】
その後、画像取得部４２は、画像読取部１１でエラー停止が発生したか否かを監視し（ステップＳ２）、エラー停止せずに、複数ページの原稿の画像スキャンが完了すると（ステップＳ３）、原稿の全ページの画像ファイルを所定フォーマット（例えばＰＤＦ）で生成し特定フォルダー（特定ボックス）に保存し（ステップＳ４）、その特定フォルダーのＵＲＬを含むメッセージを特定の宛先に送信する（ステップＳ５）。
【００４０】
一方、複数ページの原稿の画像スキャンが完了する前に画像読取部１１でエラー停止が発生すると（ステップＳ２）、通信処理部４３は、メッセージの宛先が、ジョブ要求の要求者であるユーザーとは別のユーザーであるか否かを判定する（ステップＳ６）。例えば、ステップＳ６では、通信処理部４３は、上述のように、メッセージの件名に基づいて、メッセージの宛先が、ジョブ要求の要求者であるユーザーとは別のユーザーであるか否かを判定する。
【００４１】
メッセージの宛先が別のユーザーである場合、画像取得部４２は、例えば文字認識技術を使用して各ページの原稿画像のテキストデータを生成し、そのテキストデータに基づいて上述の区切りページを特定する（ステップＳ７）。そして、特定した区切りページが、画像読取が完了している最終スキャンページと一致しない場合には、画像取得部４２は、保存およびＵＲＬ送信すべき画像ファイルの最後のページとして、区切りページおよび最終スキャンページのいずれかをユーザーに選択させるための画面を表示装置２１に表示する。
【００４２】
画像取得部４２は、ユーザーにより区切りページが選択されたか否かを判定する（ステップＳ８）。
【００４３】
ユーザーにより区切りページが選択された場合、画像取得部４２は、第１ページから区切りページまでのページ画像の画像データを含む画像ファイルを特定フォルダーに保存する（ステップＳ９）。
【００４４】
一方、ユーザーにより最終スキャンページが選択された場合、画像取得部４２は、第１ページから最終スキャンページまでのページ画像の画像データを含む画像ファイルを特定フォルダーに保存する（ステップＳ１０）。
【００４５】
なお、区切りページと最終スキャンページとが一致する場合には、画像取得部４２は、上述の画面を表示せずに、自動的にただちに、第１ページから最終スキャンページまでのページ画像の画像データを含む画像ファイルを特定フォルダーに保存する。
【００４６】
そして、通信処理部４３は、特定フォルダーのＵＲＬを含むメッセージを特定の宛先に送信する（ステップＳ１１）。
【００４７】
他方、ステップＳ６において、メッセージの宛先が、ジョブ要求の要求者であるユーザーである場合、画像取得部４２は、エラーメッセージを含む画面を表示装置２１に表示し、その画面でＵＲＬ送信を実行するか否かをユーザーに選択させる（ステップＳ１２）。
【００４８】
画像取得部４２は、ＵＲＬ送信を実行することが選択されたか否かを判定する（ステップＳ１３）。
【００４９】
ＵＲＬ送信を実行することが選択されなかった場合、画像取得部４２は、第１ページから最終スキャンページまでのページ画像の画像データを含む画像ファイルを特定フォルダーに保存する（ステップＳ１４）。この場合には、ＵＲＬ送信は実行されず、ジョブが終了する。
【００５０】
このように、エラー停止が発生した場合、ＵＲＬ送信を行うか否か、および画像ファイルとして保存されるページ範囲が、状況に応じて適切に選択される。
【００５１】
図５および図６は、エラー停止後に複数ページの原稿の画像ファイルが受信者ユーザー側で入手されるまでの処理を示すシーケンス図である。図５は、送信者ユーザーと受信者ユーザーとが同一である場合のシーケンス図である。図６は、送信者ユーザーと受信者ユーザーとが同一ではなく送信者ユーザーが送信ユーザー側で画像ファイルの結合を行う場合のシーケンス図である。
【００５２】
図５に示す場合では、エラー停止後（ステップＳ２１）、未完画像ファイルが保存され（ステップＳ２２）、ＵＲＬ送信が実行されると（ステップＳ２３）、その後、端末装置２は、ユーザー操作に従って、ＵＲＬを含むメッセージを受信し、表示する。そして、例えば、ユーザー操作によって、そのＵＲＬを示すハイパーリンクがクリックされると、端末装置２は、ウェブブラウザーなどで、そのＵＲＬを指定して送信要求を送信する。サーバー４４は、その送信要求を受信すると、特定フォルダーに含まれる画像ファイルのリストを含む画面データ（ＨＴＭＬデータなど）を、応答として端末装置２に送信する。端末装置２は、ウェブブラウザーなどで、その表示データを受信し、画像ファイルのリストを表示し、ユーザー操作によって、そのリストから、上述の未完画像ファイルが選択されると、その未完画像ファイルのファイル送信要求を送信する（ステップＳ２４）。サーバー４４は、そのファイル送信要求を受信すると、特定フォルダーからその未完画像ファイルを読み出して、応答として送信する（ステップＳ２５）。
【００５３】
端末装置２は、その未完画像ファイルをダウンロードし内蔵記憶装置（ＲＡＭ、ハードディスクなど）に保存する（ステップＳ２６）。
【００５４】
その後、ユーザーは、原稿のうち、その未完画像ファイルに含まれていない残りのページについて、再度、スキャンＵＲＬ送信ジョブを要求する。画像読取装置１は、残りのページについてのスキャンＵＲＬ送信ジョブを実行し（ステップＳ２７）、残りのページから読み取られた原稿画像の画像ファイルを特定フォルダーに保存し（ステップＳ２８）、その画像ファイルのＵＲＬ送信を実行する（ステップＳ２９）。
【００５５】
そして、上述の場合と同様にして、端末装置２によって、その残りのページの画像ファイルがダウンロードされ（ステップＳ３０，Ｓ３１）、保存される（ステップＳ３２）。
【００５６】
その後、ユーザー操作に従って、端末装置２は、所定のソフトウェアなどで、上述の未完画像ファイルと残りのページの画像ファイルとを結合し、原稿の全ページの画像ファイルを生成する（ステップＳ３３）。
【００５７】
このように、この場合、画像ファイルの結合は、受信者ユーザー側で実行される。
【００５８】
図６に示す場合では、エラー停止後（ステップＳ４１）、ＵＲＬ送信が実行されずに、未完画像ファイルが保存される（ステップＳ４２）。
【００５９】
その後、ユーザーは、原稿のうち、その未完画像ファイルに含まれていない残りのページについて、再度、スキャンＵＲＬ送信ジョブを要求する。画像読取装置１は、残りのページについてのスキャンＵＲＬ送信ジョブを実行し（ステップＳ４３）、残りのページから読み取られた原稿画像の画像ファイルを特定フォルダーに保存する（ステップＳ４４）。
【００６０】
その後、ユーザー操作に従って、画像読取装置１は、上述の未完画像ファイルと残りのページの画像ファイルとを結合し、原稿の全ページの画像ファイルを生成する（ステップＳ４５）。そして、通信処理部４３は、その全ページの画像ファイルについてのＵＲＬ送信を実行する（ステップＳ４６）。
【００６１】
その後、端末装置２は、ユーザー操作に従って、ＵＲＬを含むメッセージを受信し、表示する。そして、上述の場合と同様にして、端末装置２によって、その残りのページの画像ファイルがダウンロードされ（ステップＳ４７，Ｓ４８）、保存される（ステップＳ４９）。
【００６２】
このように、この場合、画像ファイルの結合は、送信者ユーザー側で実行される。
【００６３】
以上のように、上記実施の形態によれば、画像読取部１１は、複数ページの原稿から原稿画像を読み取り前記原稿画像の画像データを生成する。画像取得部４２は、その画像データを取得し、その画像データを含む画像ファイルを生成し特定フォルダーに保存する。通信処理部４３は、その画像ファイルが保存されると、特定フォルダーのネットワーク識別子を含むメッセージを特定の宛先に送信する。そして、画像取得部４２は、原稿の途中のページで画像読取部１１がエラー停止した場合、エラー停止の時点までに画像読取部１１による画像読取が完了しているページの画像ファイルを未完画像ファイルとして特定フォルダーに保存する。通信処理部４３は、所定条件に基づいて、未完画像ファイルのネットワーク識別子または未完画像ファイルを保存した特定フォルダーのネットワーク識別子を含むメッセージを特定の宛先に送信するか否かを判定し、所定条件に基づいて、メッセージを送信すると判定した場合には、上述のメッセージを特定の宛先に送信し、所定条件に基づいて、メッセージを送信しないと判定した場合には、上述のメッセージを特定の宛先に送信しない。
【００６４】
これにより、複数ページの原稿の画像読取がエラー停止した場合に、状況に応じた処理を行うことで、送信者ユーザーおよび受信者ユーザーの作業負担が適切になり、送信者ユーザーおよび受信者ユーザーの利便性が向上する。
【００６５】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００６６】
例えば、上記実施の形態では、特定フォルダーのネットワーク識別子（上述の例ではＵＲＬ）がメッセージに含まれ送信されているが、その代わりに、特定フォルダーに保存された画像ファイル（未完画像ファイルなど）のネットワーク識別子（上述の例ではＵＲＬ）がメッセージに含まれ送信されるようにしてもよい。その場合、ＵＲＬを示すハイパーリンクがクリックされると、画像ファイルがただちにダウンロードされる。
【産業上の利用可能性】
【００６７】
本発明は、例えば、画像読取装置に適用可能である。
【符号の説明】
【００６８】
１  画像読取装置
１１  画像読取部
４２  画像取得部
４３  通信処理部
【図１】
2019176439.tif 000003
【図２】
2019176439.tif 000004
【図３】
2019176439.tif 000005
【図４】
2019176439.tif 000006
【図５】
2019176439.tif 000007
【図６】
2019176439.tif 000008